【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
患者の血管を含む組織領域を覆い前記患者の皮膚に粘着することができるように適合した搭載モジュールと、前記モジュールに搭載され前記組織領域の特性に応答する信号を生成するセンサー部と、前記信号を受信し、受信した信号を前記検体の分析するため、および、前記センサー部が前記血管に対して整列する程度を判断するために使用するコントローラと、を備える患者の血管における血液検体の分析装置。
【請求項２】
前記センサー部が、前記領域において前期検体により吸収及び／又は散乱され、光音響波を生成する少なくとも一つの波長により前記領域を照射する少なくとも一つの光源、および、前記光音響波に応答する前記信号の少なくともいくつかを生成する少なくとも一つの音響変換器、を備える請求項１に記載の装置。
【請求項３】
前記コントローラが、前記光音響波に応答する信号を、前記検体を分析するために使用することを特徴とする請求項２に記載の装置。
【請求項４】
前記光源が、赤血球により吸収される光で、前記領域を照射することを特徴とする請求項２又は請求項３に記載の装置。
【請求項５】
前記光音響信号の少なくとも一つの特性を、前記センサー部が前記血管に対して整列する程度を判断するために、コントローラが使用することを特徴とする請求項２ないし４のいずれかに記載の装置。
【請求項６】
前記少なくとも一つの特性が前記信号の振幅の大きさを含むことを特徴とする請求項５に記載の装置。
【請求項７】
前記少なくとも一つの特性が前記信号の波形を含むことを特徴とする請求項５又は請求項６に記載の装置。
【請求項８】
前記少なくとも一つの特性が前記信号の時間依存性を含むことを特徴とする請求項５ないし７のいずれかに記載の装置。
【請求項９】
前記少なくとも一つの特性が前記信号のパワースペクトルを含むことを特徴とする請求項５ないし８のいずれかに記載の装置。
【請求項１０】
前記コントローラが、超音波を前記領域に送信するために、少なくとも一つの変換器を制御すること、少なくとも一つの変換器が、前記領域における構成物から反射する超音波に応答する前記信号のうちの少なくともいくつかを生成すること、を特徴とする請求項２ないし９のいずれかに記載の装置。
【請求項１１】
前記コントローラが、反射された超音波に応答する生成された信号を、前記センサー部が前記血管に対して整列する程度を判断するために使用することを特徴とする請求項１０に記載の装置。
【請求項１２】
表示画面を備える請求項２ないし１１のいずれかに記載の装置。
【請求項１３】
前記コントローラが、前記センサー部が前記血管に対して整列する程度に関するデータを表示画面に表示することを特徴とする請求項１２に記載の装置。
【請求項１４】
前記コントローラが、前記少なくとも一つの音響変換器からの信号を、前記血管の画像を生成して前記画像を前記画面に表示するために使用することを特徴とする請求項１２又は請求項１３に記載の装置。
【請求項１５】
前記コントローラが、反射された超音波に応答する生成された信号を、前記血管の画像を生成して前記画像を前記画面に表示する使用するために使用することを特徴とする請求項１２に記載の装置。
【請求項１６】
前記コントローラが、基準を前記画面上に表示すること、および、前記画面上における前記血管と前記画像の間の距離が、前記センサー部が前記血管と不整列となっている程度を示すこと、を特徴とする請求項１４又は請求項１５に記載の装置。
【請求項１７】
少なくとも前記センサー部の部分が、前記センサー部と前記皮膚との光学的及び／又は音響的結合をもたらすために、前記皮膚を圧迫することを特徴とする請求項１ないし１６のいずれかに記載の装置。
【請求項１８】
前記コントローラが、前記センサー部の部分が前記血管に過剰な圧力を及ぼしているか否かを判断するために、前記センサー部から受信した信号を使用することを特徴とする請求項１７に記載の装置。
【請求項１９】
患者の血管を含む組織領域を覆い前記患者の皮膚に粘着することができるように適合した搭載モジュールと、前記モジュールに搭載され前記組織領域の特性に応答する信号を生成するセンサー部であって、少なくともセンサー部の部分が前記皮膚を圧迫し、前記センサーと前記皮膚との光学的及び／又は音響的結合をもたらすセンサー部と、前記信号を受信し、前記検体の分析するため、および、前記センサー部の部分が前記血管に過剰な圧力を及ぼしているか否かを決定するために、受信した信号を使用するコントローラと、を備える患者の血管における血液検体の分析装置。
【請求項２０】
前記センサー部が、前記領域において光音響波を生成する少なくとも一つの波長の光で前記領域を照射する少なくとも一つの光源と、前記光音響波に応答する前記信号の少なくともいくつかを生成する少なくとも一つの音響変換器と、を備えることを特徴とする請求項１９に記載の装置。
【請求項２１】
超音波を前記領域に送信する前記少なくとも一つの変換器を、前記コントローラが、制御すること、および、前記少なくとも一つの変換器が、前記領域における構成物から反射する超音波に応答する前記信号の少なくとも少なくともいくつかを生成することを特徴とする請求項２０に記載の装置。
【請求項２２】
前記血管の画像を生成するために前記コントローラが前記信号を使用すること、及び、もし、前記画像が、前記血管が通常の血管形状に比較して変形していることを示しているならば、前記コントローラは、前記センサー部の部分が過剰な圧力を及ぼしていると判断することを特徴とする請求項１８ないし２１のいずれかに記載の装置。
【請求項２３】
前記センサー部の部分の位置が前記搭載モジュールに対して、前記皮膚に実質的に垂直方向に移動可能であり、前記センサー部の部分が前記皮膚に及ぼし、従って前記血管に及ぼす圧力を調整することができることを特徴とする請求項１８ないし２２のいずれかに記載の装置。
【請求項２４】
前記センサー部の部分の前記位置が手動で調整可能であることを特徴とする請求項２３に記載の装置。
【請求項２５】
前記センサー部の部分の位置を調整するために制御可能なモータを備えることを特徴とする請求項２３または請求項２４に記載の装置。
【請求項２６】
前記コントローラが、前記センサー部の部分が前記皮膚に過剰な圧力を及ぼしていると判断するときに、前記センサー部の部分の位置を調整するように、前記コントローラが前記モータを制御することを特徴とする請求項２５に記載の装置。
【請求項２７】
前記搭載モジュールが、少なくとも部分的に、前記センサー部を収容する領域を取り囲む側面を有するフレームを備えることを特徴とする請求項２ないし２６のいずれかに記載の装置。
【請求項２８】
前記領域を収容する前記領域が開放領域であり、前記領域に前記センサー部が配置されたとき、前記搭載モジュールのいかなる部分も前記エンサー部と前記皮膚との間に介入しないことを特徴とする請求項２７に記載の装置。
【請求項２９】
前記センサー部が開放された収容領域に搭載されるときに、前記センサー部を前記皮膚に付着させる粘着材を備えることを特徴とする請求項２８に記載の装置。
【請求項３０】
前記粘着材が、前記少なくとも一つの光源から供給される光に対して実質的に透明であることを特徴とする請求項２９に記載の装置。
【請求項３１】
前記粘着材が、音の比較的良い導体であり、前記センサー部と前記皮膚との間の音響インピーダンス不整合を減少させることを特徴とする請求項２９又は請求項３０に記載の装置。
【請求項３２】
前記センサー部が前記開放された収容領域に搭載されたときに、前記センサー部を前記皮膚に光学的および音響的に結合するゲルからなることを特徴とする請求項２８に記載の装置。
【請求項３３】
前記フレームが、前記側面を接続し、前記センサー部が前記収容領域に搭載されたときに、前記センサー部と前記皮膚との間に介在するパネルからなることを特徴とする請求項２７に記載の装置。
【請求項３４】
前記パネルが柔軟であることを特徴とする請求項３３に記載の装置。
【請求項３５】
前記少なくとも一つの光源により供給される光に対して、前記パネルが実質的に透明であることを特徴とする請求項３３又は請求項３４に記載の装置。
【請求項３６】
前記パネルが音の比較的良い導体であることを特徴とする請求項３３ないし３５のいずれかに記載の装置。
【請求項３７】
前記パネルが、前記パネルを前記皮膚に接着し、従って、前記搭載モジュールを前記皮膚に接着する粘着材層からなることを特徴とする請求項３３ないし３６のいずれかに記載の装置。
【請求項３８】
前記少なくとも一つの光源により供給される光に対して、前記粘着材が実質的に透明であることを特徴とする請求項３７に記載の装置。
【請求項３９】
前記粘着材が音の比較的良い導体であり、前記パネルと前記皮膚との間の音響インピーダンスの不整合を減少させることを特徴とする請求項３８に記載の装置。
【請求項４０】
前記センサー部が前記収容領域に搭載されるときに、光学的および音響的に前記センサー部を前記パネルに結合するゲルまたはオイルからなることを特徴とする請求項３３ないし３９のいずれかに記載の装置。
【請求項４１】
前記フレームが、前記センサー部を前記フレーム内の位置にしっかりと維持するための、実質的に前記フレームの平面に対して平行である弾性力を前記センサー部に及ぼす少なくとも一つの弾性要素からなることを特徴とする請求項３３ないし４０のいずれかに記載の装置。
【請求項４２】
前記弾性力が前記センサー部を移動させるために作用する方向に対して、前記センサー部の動きを制限する位置を有する少なくとも一つのセットネジからなることを特徴とする請求項４１に記載の装置。
【請求項４３】
前記セットネジが前記フレームに取付けられることを特徴とする請求項４２に記載の装置。
【請求項４４】
前記セットネジの前記位置が手動で調整可能であることを特徴とする請求項４２又は請求項４３に記載の装置。
【請求項４５】
前記セットネジの位置を調整するために制御可能なモータからなることを特徴とする請求項４２又は請求項４３に記載の装置。
【請求項４６】
前記センサー部から受信した信号が、前記センサー部の位置合わせが不十分であることを示しているならば、前記センサー部の位置を調整するために、前記コントローラが前記モータを制御することを特徴とする請求項４５に記載の装置。
【請求項４７】
前記皮膚に平行する方向における、前記センサー部の前記搭載モジュールに対して前記位置を調整するために制御可能なモータからなること、及び、前記センサー部から受信した信号が、前記センサー部の位置合わせが不十分であることを示しているならば、前記センサー部の位置を調整するために、前記コントローラが前記モータを制御することを特徴とする請求項１ないし２６のいずれかに記載の装置。
【請求項４８】
前記検体がグルコースであることを特徴とする請求項１ないし４７のいずれかに記載の装置。
【手続補正２】
【補正対象書類名】明細書
【補正対象項目名】００４８
【補正方法】変更
【補正の内容】
【００４８】
フレーム３０は、スカートを患者の体の領域に粘着させるのに好適な粘着材層（図示せず）で覆われた底面３６を有する少なくとも一つの柔軟なスカート３４に取り付けられる。一例として、搭載モジュール２２は、４つのスカート３６を有する。粘着材は、搭載モジュール２２を、比較的長期間にわたって、患者の体の領域に取り付けるために使用できるようなもので良い。粘着材層は、選択的に、粘着材層が使用されるときに取り除かれる保護フィルム（図示せず）で覆われている。搭載モジュール２２の搭載手順、及びグルコメータ２０の患者への取り付け手順が、図２Ａ−２Ｅの記述において議論される。
【手続補正３】
【補正対象書類名】明細書
【補正対象項目名】００６１
【補正方法】変更
【補正の内容】
【００６１】
摩擦ホイール９４は、摩擦ホイール及び駆動シャフトが一緒に回転するように、駆動シャフトは、摩擦ホイールに対して、駆動シャフトに沿った方向に自由に動くように、摺動的に駆動シャフト８８に搭載される。摩擦ホイール９４は、選択的に、伝達ピニオンギア５０が、セットネジ４０に摺動的に搭載されるのと類似したやり方で、駆動シャフト８８に搭載される。圧電モータ９０における振動は、摩擦ホイール９４を回転する摩擦こぶ９２の振動を生成し、セットネジ８６を望む方向に回転させて、搭載モジュール２２に搭載されたアクチュエータパックに対して、圧力調整ネジを上昇又は下降させる。摩擦ホイールは、駆動シャフト８８に摺動的に搭載されるので、摩擦ホイールは、圧力調整ネジが上下に動くのにつれて、上下に動かない。アクチュエータバック２６が搭載モジュール２２に搭載されたとき、セットネジ４０が圧力調整ネジ８４を下降させるように回転すると、圧力調整ネジはセンサーパック２４を押圧し、センサーパックに、搭載板に対して下向きにセンサーパックを動かそうとする力を、及ぼす。
【手続補正４】
【補正対象書類名】明細書
【補正対象項目名】００６５
【補正方法】変更
【補正の内容】
【００６５】
図２Ａ−２Ｅは、皮膚下の領域１０４に位置する血管１０２内のグルコースの分析をするため、グルコメータ２０の患者の体の皮膚１００への搭載について断面図で概略的に図解する。